(57)【特許請求の範囲】
【請求項１】
回転可能に設けられた回転レバーと、
前記回転レバーの操作に応じて当該回転レバーの回転平面に沿って回転するカムと、
前記カムの回転に伴って前記回転平面に沿ってスライドする従動スライダーと、
前記従動スライダーのスライド動作に伴って前記回転平面に沿った軸を中心に回動するロック片と、
前記ロック片の回動に伴って前記ロック片に係合および開放する被ロック片と、を備え、
前記ロック片先端部と前記被ロック片とは、所定の長さを持つ各々の接触面によって接触するように構成され、
前記被ロック片は上下にスライド可能に取り付けられ、かつ、前記ロック片先端部の接触面と前記被ロック片の接触面とは、所定角度に傾いて接触するように構成されていることを特徴とするロック機構。
【請求項２】
前記ロック機構は、パチンコ玉揚送装置の揚送用外筒が備える開閉ドアのロックに用いられて成ることを特徴とする請求項１に記載したロック機構
【発明の詳細な説明】
【０００１】
【発明の属する技術分野】
この発明は、開閉ドア等の開閉体と筐体等の被開閉体をロックするためのロック機構に関するものである。
【０００２】
【従来の技術】
これまでに知られているロック機構（以下、「従来のロック機構」という）として、図１０（１）に示す構造のものがある。ロック機構１０１は、被開閉体１５１に取り付けられた機構本体１０３と、開閉体１５３に取り付けられた受け具１０５と、から構成され、回転レバー１０７の回転（回動）をリンク機構１０９を介してロック片１１１に伝達し、これにより、このロック片１１１を受け具１０５にロックするようになっている。すなわち、ロックするときは、まず、回転レバー１０７を解除方向（往路方向）に回転させてロック片１１１の先端部１１３を上昇傾動させながら受け具１０５方向に移動させ、ロック片先端部１１３が受け具を乗り越えたところで回転レバー１０７を施錠方向に回転させる。この回転により、ロック片先端部１１３が受け具１０５を乗り越えた位置で下降傾動し、さらなる回転レバー１０７の回転によりロック片先端部１１３が僅かに復路方向に引き戻されて受け具１０５にロックするようになっている。図１０（２）は、ロック機構１０１のロックを完了した状態を示している。
【０００３】
【発明が解決しようとする課題】
しかしながら、上述した従来のロック機構１０１は、回転レバー１０７が被開閉体１５１から離れる方向に回転するようになっているため、その回転のために図１０（２）に記号Ｓで示す寸法の空間領域が必要となる。被開閉体１５１の前方領域が開放されていて回転レバー１０７の回転を妨げるものが何もない状態であれば問題ないが、この前方領域に限りがある場合、たとえば、隣接物との間隔が回転レバー１０７の回転のために充分でない場合は、この形式のロック機構を使用することができない。本発明が解決しようとする課題は、回転レバーを回転させるために必要な空間をできるだけ小さくすることにより、広い場所はもとより狭い場所でも使用できるロック機構を提供することにある。
【０００４】
【課題を解決するための手段】
上記の課題を解決するために、本発明は次の通り構成されている。なお、何れかの請求項の発明を説明するために行った用語の定義等は、その性質上可能な範囲において他の請求項の発明にも適用されるものとする。
【０００５】
請求項１の発明の構成
請求項１の発明に係るロック機構（以下、「請求項１のロック機構」という）は、回転可能に設けられた回転レバーと、前記回転レバーの操作に応じて当該回転レバーの回転平面に沿って回転するカムと、前記カムの回転に伴って前記回転平面に沿ってスライドする従動スライダーと、前記従動スライダーのスライド動作に伴って前記回転平面に沿った軸を中心に回動するロック片と、前記ロック片の回動に伴って前記ロック片に係合および解放する被ロック片と、を備え、前記ロック片先端部と前記被ロック片とは、所定の長さを持つ各々の接触面によって接触するように構成され、前記被ロック片は上下にスライド可能に取り付けられ、かつ、前記ロック片先端部の接触面と前記被ロック片の接触面とは、所定角度に傾いて接触するように構成されていることを特徴とする。
【０００６】
請求項１の発明の作用効果
請求項１のロック機構の作用効果は、次のとおりである。まず、回転レバーが回転すると、これに伴ってカムも回転する。これによりカムの周縁と接触する従動スライダーがスライドし、このスライドに連動してロック片が回動して被ロック片との係合および解放を行う。このように、回転レバーを回転させるという一作業により、回転レバーの回転平面に沿ってカム（平面カム）が回転するようになっているので、そのようになっていない場合に比べてレバーの回転に必要な領域が小さくて済む。したがって、隣接物との間隔が狭くても回転レバーを回転させてロック片の係合および解放を行うことができる。
【０００７】
また、被ロック片が上下にスライド可能に取り付けられ、かつ、ロック片先端部の接触面と被ロック片の接触面とが所定角度に傾いて接触するようになっているので、接触面の長さ方向における両者の位置関係を調整することによりロック片先端部と被ロック片との距離（被開閉体と開閉体との距離）を調整することができる。この距離を調整することにより、同一構造同一寸法のロック機構を用いて、被開閉体と開閉体との距離が異なる場合に対応することができる。さらに、当該距離が同じでも、距離を調節することによりロック（挟持）の強弱を加減することもできる。
【０００８】
請求項２の発明の構成
請求項２の発明に係るロック機構（以下、「請求項２のロック機構」という）は、請求項１のロック機構の構成に限定が加わり、前記ロック機構は、パチンコ玉揚送装置の揚送用外筒が備える開閉ドアのロックに用いられて成ることを特徴とする。
【０００９】
請求項２の発明の作用効果
請求項２のロック機構の作用効果は、請求項１のロック機構の作用効果と基本的に同じである。請求項２のロック機構は、これをパチンコ玉揚送装置の揚送用外筒と開閉ドアに応用したものである。パチンコ玉揚送装置は、一般に島と呼ばれる一群のパチンコ機に囲まれた限られたスペース内で使用されるため、作業のためのスペースは非常に狭い。このような状況下で、請求項２のロック機構を使用すると、より高い効果が期待できる。
【００１０】
【発明の実施の形態】
次に、各図を参照しながら、本発明の実施の形態（以下、「本実施形態」という）について説明する。図１はロック機構１の使用状態を示す斜視図であり、図２はロック機構１の内部構造を示す分解斜視図である。図３（１）はカバープレートを省略したロック機構の平面図であり、図３（２）は、図３（１）のＡ−Ａ線を含む断面図である。図４（１）は図３（１）の、図４（２）は図３（２）のそれぞれ変形例を示す図である。図５はロック片を使用した揚送装置の斜視図であり、図６は図１のＣ−Ｃ線を含む断面図である。図７は取り付けたロック機構の拡大図であり、図８は図７のＤ−Ｄ線を含む断面図である。図９はロック機構の取り付け状態を比較するための正面図である。
【００１１】
ロック機構の全体構成
図１及び２に示すように、ロック機構１は、ロック機構１自体を被ロック体に取り付けるためのベースプレート３と、ベースプレート３上面に設けられるカバープレート５と、カバープレート５を屈曲させてベースプレート３との間に形成した収納凹部７と、収納凹部７内でスライド可能に支持される従動スライダー１５と、従動スライダー１５をスライドさせるためのカム１３と、カム１３を回転させるための回転レバー１１と、従動スライダー１５のスライドによって上下に傾動するロック片１７と、ロック片１７と係合する被ロック片２３と、から構成され、回転レバー１１の回動によりロック片１７が傾動して被ロック片２３と掛合し解除するようになっている。符号９はカバープレート５に貫通形成された貫通孔であり、この貫通孔９を介してカム１３に回転レバー１１が連結されている。
【００１２】
従動スライダーとロック片の構成
図２に基づいて、従動スライダー１５とロック片１７について説明する。図２（１）に示すように従動スライダー１５は、長方形の鉄板の両長辺をほぼ直角に屈曲形成された前方起立片２５及び後方起立片２７と、中央部に貫通形成したカム収納孔２９と、前方起立片２５の両肩を切り欠いて形成した切欠部３３，３３と、を備えている。カム収納孔２９は、ほぼ長方形に形成され、その前方起立片２５側の端面がカム１３と接触するカム面３１になっている。図２（２）に示すように、カム１３には回転レバー１１が固定され、ベースプレート３に対して両者が一体に回転するようになっている（図１参照）。
【００１３】
図２（１）に示すロック片１７は、長方形の鉄板の両長辺をほぼ直角に屈曲形成された前方垂下片４１及び後方垂下片４３を備え、後方垂下片４３の下端中央部が切り欠かれることにより当接突出片４５，４５が形成されている。当接突出片４５，４５の間隔は、前方起立片２５の幅寸法より僅かに大きく設定されており、これにより、当接突出片４５，４５が、図２（２）に示すように従動スライダー１５の切欠部３３，３３に嵌合するようになっている。
【００１４】
ここで、図２及び３を参照しながら、従動スライダー１５とロック片１７の作用について説明する。図２（２）に矢印で示す解除方向に回転レバー１１を回転（回動）させると、この回転がカム１３を介して前方カム面３１に伝達され、これにより従動スライダー１５を矢印Ｂ方向（往路方向）に移動させる。この従動スライダー１５の移動により切欠部３３，３３の端面が当接突出片４５，４５と当接してこれらを押し出す。その結果、この当接部を支点としてロック片１７の先端部である前方垂下片４１が仮想線で示すように上昇傾動させながら被ロック片２３を越えた位置まで移動する。傾動後の位置決めは、図３（２）に示すベースプレート３の前端部をベースプレート３と鋭角をなすように部分的に折り返し形成した折り返し片４に後方垂下片４３が当接することによりなされる。一方、図２（２）の矢印と逆方向（施錠方向）に回転レバー１１を回転させると、切欠部３３，３３の押し出しが解除されるので、これに伴い仮想線で示す状態にあったロック片１７が自重で下降傾動して従動スライダー１５を復路方向に押し戻す。その後、カム１３は後方カム面３２に接触して従動スライダー１５を矢印Ｂの反対方向に移動させる。これにより前方垂下片４１が引き締められて被ロック片２３との係合施錠が完了する。
【００１５】
なお、本実施形態では、上述したように、折り返し片４をベースプレート３の前端部をベースプレート３と鋭角をなすように部分的に折り返すことにより形成したが、図４に示すようにペースプレート３の前方部側端を起立させたベース起立片３７，３７を形成してもよい。すなわち、ベース起立片３７，３７の後端面３９，３９を同図に示すように傾斜させ、ここに後方垂下片４３を当接させるように構成してもよい。
【００１６】
ロック機構の使用例
図５〜９を参照しながら、上述したロック機構の使用例について説明する。ここで説明する使用例は、パチンコ玉を揚送するためのパチンコ玉揚送装置（以下、「揚送装置」という）である。なお、まず、揚送装置の基本構造から説明する。まず、図５に示す揚送研磨装置５１は、ベース部５３から起立する外筒５５と、外筒５５に囲まれた円柱体５７（図６参照）と、円柱体５７を回転させるための駆動モータ１７と、から基本的に構成され、外筒５５は、外筒本体６１とこの外筒本体６１にヒンジ結合された開閉ドア６３，６３，６３から構成されている。符号１は、外筒本体６１に開閉ドア６３，６３，６３をロックするためのロック機構である。符号６９は、ロック機構１，...の取付位置を上下動させるためのスライド溝である。
【００１７】
図９に示すロック機構１ａ，１ｂ，１ｃ及び被ロック片２３ａ，２３ｂ，２３ｃは、それぞれ外筒本体６１及び開閉ドア６３に設けられたスライド溝６９，...に対して１〜３度（本実施形態では１．５度）の角度で傾斜して取り付けられるように構成されている。すなわち、図１に示すロック機構１の固定ボルト２１ａ，２１ａを取り付けるための上下の取付孔（図示を省略する）は、両取付孔の中心を結ぶ線がスライド溝６９と上記角度で傾斜するように設けられている。また、被ロック片２３ａ，２３ａを取り付けるための取付孔（図示を省略する）も同様に上記角度で傾斜するように設けられている。固定ボルト２１ａと固定ボルト２４ａとは、両者ともにスライド溝６９，６９内で上下にスライド可能、かつ、所望の位置でそのスライド溝６９，６９内で締め付け固定可能に構成されている。このように構成されたロック機構１及び被ロック片２３を、スライド溝６９，６９に取り付けることにより、上記角度をもって取り付けることができる。
【００１８】
ここで、ロック機構をこのように取り付け、かつ、被ロック片２３ａ，２３ｂ，２３ｃを図９に示すように上下動させて取り付けることにより、両者間の締め付けの度合いが高まり、ロック機構１ａよりロック機構１ｂが、ロック機構１ｂよりロック機構１ｃが、外筒本体６１と開閉ドア６３との間の締め付けが大きくなる。したがって、この被ロック片の取付位置を上下動することにより、ロック機構と開閉ドアとの締め付け度合いの強弱を調節することができる。なお、上述したのは、被ロック片を上下動することにより締めつけ度合いを調節しているが、ロック機構を上下動させることにより、または、両者を上下動させることにより調節するようにしてもよい。
【００１９】
【発明の効果】
本発明に係るロック機構を使用すると、回転レバーを回転させるために必要な空間をできるだけ小さくすることができるので、広い場所はもとより狭い場所でも施錠したり解除したりすることができる。このため、ロック機構の適用範囲を広く取ることができる。
【図面の簡単な説明】
【図１】  ロック機構１の使用状態を示す斜視図である。
【図２】  ロック機構１の内部構造を示す分解斜視図である。
【図３】  カバープレートを省略したロック機構の平面図及び同Ａ−Ａ線を含む断面図である。
【図４】  図３の変形例を示す平面図及び断面図である。
【図５】  ロック片を使用した揚送装置の斜視図である。
【図６】  図１のＣ−Ｃ線を含む断面図である。
【図７】  取り付けたロック機構の拡大図である。
【図８】  図７のＤ−Ｄ線を含む断面図である。
【図９】  ロック機構の取り付け状態を比較するための正面図である。
【図１０】  従来のロック機構を示す斜視図及び側面図である。
【符号の説明】
１      ロック機構
３      ベースプレート
５      カバープレート
７      収納凹部
９      貫通孔
１１      レバー
１３      周縁カム
１５      従動スライダー
１７ ロック片
１９      先端部
２３      被ロック片
２５      前方起立片
２７      後方起立片
２９      カム収納孔
３１      前方カム面
３２      後方カム面
３３      切欠部
３７      ベース起立片
３９      後端面
４１      前方垂下片
４３      後方垂下片
４５      当接突出片
５１      パチンコ玉揚送装置
５３      ベース部
５５      外筒
５７      円柱体
５９      駆動モータ
６１      外筒本体
６３      開閉ドア
【図１】
0004229549.tif 000002
【図２】
0004229549.tif 000003
【図３】
0004229549.tif 000004
【図４】
0004229549.tif 000005
【図５】
0004229549.tif 000006
【図６】
0004229549.tif 000007
【図７】
0004229549.tif 000008
【図８】
0004229549.tif 000009
【図９】
0004229549.tif 000010
【図１０】
0004229549.tif 000011